(57)【特許請求の範囲】
【請求項１】
被測流体の流量または流速に応じた流量パルスを出力する流量パルス出力器と、
該流量パルス出力器より出力される流量パルスから被測流体の流量または流速を演算する演算手段と、
前記流量パルス出力器より出力される流量パルスの出力パターンの異常を検出する異常検出手段と、
を有する流量計測装置において、
前記演算手段により演算された流量または流速が所定値を越えているか否かを判定する判定手段を備え、
前記異常検出手段は、前記判定手段による判定結果が前記演算手段により演算された流量または流速が所定値を越えているとしている際に前記流量パルスの出力パターンに異常があった場合には、前記流量計測装置の異常を検出することを特徴とする流量計測装置。
【請求項２】
前記異常検出手段は、
前記流量パルスの出力パターンの異常が検出されていないときの前記流量パルスの間隔に応じた監視時間を設定し、当該監視時間が経過する間に、流量パルスの出力パターンから異常であると検出された回数が所定回数に達した場合に前記流量計測装置の異常を検出することを特徴とする請求項１に記載の流量計測装置。
【請求項３】
前記異常検出手段は、
前記流量計測装置の異常が検出された場合には、前記監視時間が経過するまでの流量パルスの積算を禁止することを特徴とする請求項２に記載の流量計測装置。
【発明の詳細な説明】
【技術分野】
【０００１】
本発明は流量計測装置に係り、特に流量計より出力された流量パルスをカウントして流量計測値を演算すると共に、前記流量計における異常検出を検出するように構成された流量計測装置に関する。
【背景技術】
【０００２】
流量計においては、被測流体の流量または流速に比例した流量パルスを生成し、この流量パルスを積算することにより単位時間当たりの瞬時流量や１月当たりの積算流量を演算しており、例えば、都市ガスなどの流量を計測するガスメータの場合には、１月当たりの積算流量からガス使用量に応じた金額を請求している。
【０００３】
また、この種の流量計の演算回路では、ロータの回転方向が順方向である場合には、検出された流量パルスを加算し、ロータの回転方向が逆方向である場合には、検出された流量パルスを減算している（例えば、特許文献１参照）。
【０００４】
ロータの回転検出方法としては、ロータに埋設されたマグネットに磁力を磁気センサにより検出する方法がある。そして、磁気センサ方式の回転検出方法では、ロータに設けられた一対のマグネットがロータと共に回転するときの位相差（Ａ相のパルスの立ち上がりとＢ相のパルスの立ち上がりとの時間差）を監視することによりロータの回転方向を判定しており、さらには流量パルスの検出パターンが異なる場合には、何らかの異常が発生したものと判定することが可能になる。
【特許文献１】特開平６−１６０１４９号公報
【発明の開示】
【発明が解決しようとする課題】
【０００５】
従来の流量計測装置では、流量パルス発信器より出力される流量パルスの出力パターンがＡ相、Ｂ相が交互に周期的に出力されている場合には、正常と判定し、この正常な出力パターンを異なる場合には異常と判定されて異常検出信号が検出されると共に、この異常時の流量計測（流量パルスの積算処理）は行わないようになっている。
【０００６】
一方、上述のような流量パルスの出力パターンの異常としては、種々あり、例えば、磁気センサが故障して流量パルスを全く出力しない場合、あるいは、流量計のロータに設けられたマグネットが脱落して磁気センサがロータの回転を検出できない場合には、完全な故障と判定されて、流量計を交換することになる。
【０００７】
しかしながら、流量計自体には故障は生じていないが、例えば、電磁ノイズの影響によるものもあるため、流量計の機械的な構成としては、正常であるのに、流量計測時の流量パルスの出力パターンが異常になる場合があり、例えば、微小流量域でＡ相またはＢ相の何れかのパルスが欠落したり、同相の流量パルスが連続して検出されたりした場合には、一時の出力パターンの異常から流量計自体の異常を検出することは難しい。
【０００８】
このため、従来は、流量計の故障の検出は、例えば、定期点検や、この流量計で計測された所定期間毎の流量計測値を比較することにより行うこととなり、この結果、流量計の故障を迅速に検出することができないという問題があった。
【０００９】
そこで、本発明は上記事情に鑑み、上記課題を解決した流量計測装置を提供することを目的とする。
【課題を解決するための手段】
【００１０】
上記課題を解決するため、本発明は以下のような手段を有する。
【００１１】
本発明は、被測流体の流量または流速に応じた流量パルスを出力する流量パルス出力器と、
該流量パルス出力器より出力される流量パルスから被測流体の流量または流速を演算する演算手段と、
前記流量パルス出力器より出力される流量パルスの出力パターンの異常を検出する異常検出手段と、
を有する流量計測装置において、
前記演算手段により演算された流量または流速が所定値を越えているか否かを判定する判定手段を備え、
前記異常検出手段は、前記判定手段による判定結果が前記演算手段により演算された流量または流速が所定値を越えているとしている際に前記流量パルスの出力パターンに異常があった場合には、前記流量計測装置の異常を検出することを特徴とする。
【００１２】
また、前記異常検出手段は、
前記流量パルスの出力パターンの異常が検出されていないときの前記流量パルスの間隔に応じた監視時間を設定し、当該監視時間が経過する間に、流量パルスの出力パターンから異常であると検出された回数が所定回数に達した場合に前記流量計測装置の異常を検出することが望ましい。
【００１３】
また、前記異常検出手段は、前記流量計測装置の異常が検出された場合には、前記監視時間が経過するまでの流量パルスの積算を禁止することにより、上記課題を解決するものである。
【発明の効果】
【００１４】
本発明によれば、判定手段による判定結果が演算手段により演算された流量または流速が所定値を越えているとしている際に流量パルスの出力パターンに異常があった場合には、流量計測装置の異常を検出するため、所定流量以上の流量が計測されている場合の異常のみを異常として検出するようにして、異常検出の信頼性をより高められると共に、一時的な異常検出の場合には、正常に復旧した時点で通常の流量計測を再開することが可能になる。そのため、異常検出の曖昧な領域での異常判定を規則的に行なうことが可能になり、異常検出の信頼性を高められると共に、流量計の異常が拡大する前に点検・修理を行なうように指示することが可能になる。
【００１５】
また、流量パルスの出力パターンの異常が検出されていないときの流量パルスの間隔に応じた監視時間を設定し、当該監視時間が経過する間に、流量パルスの出力パターンから異常であると検出された回数が所定回数に達した場合に流量計測装置の異常を検出することができ、例えば、流量パルス出力器が完全に故障して流量計測が全くできなくなってしまう前に点検・修理を行なうことで、流量計による誤計測の発生を未然に防止することができる。
【００１６】
また、流量計測装置の異常が検出された場合には、監視時間が経過するまでの流量パルスの積算を禁止するため、流量パルスのノイズが発生した場合でもノイズを流量パルスとして演算してしまうことを防止でき、あいまいな領域での異常判定が可能になって流量計測の信頼性をより一層高められる。
【発明を実施するための最良の形態】
【００１７】
以下、図面を参照して本発明を実施するための最良の形態について説明する。
【実施例１】
【００１８】
図１は本発明による流量計測装置の一実施例を示すシステム系統図である。図１に示されるように、流量計測装置１０は、概略、流量計２０と、流量計受信部３０とを有する。流量計２０は、計量部４０と、アンプ・波形整形回路５０と、計数部６０とから構成されている。また、流量計受信部３０は、流量計２０から分離されており、ＣＰＵ（中央演算処理部）７０と、表示手段（ディスプレイ）８０と、センタ９０との通信を行なう通信インターフェース１００とを有する。尚、本実施例においては、流量計２０と流量計受信部３０とが分離された場合を例に挙げて説明するが、流量計２０と流量計受信部３０とを一体化した構成のものにも本発明を適用することができるのは勿論である。
【００１９】
また、本実施例では、ＣＰＵ７０及び表示手段８０を流量計受信部３０に設けた構成を例示しているが、計数部６０の代わりにＣＰＵ７０及び表示手段８０を流量計２０に設ける構成とすることも可能である。
【００２０】
計量部４０は、例えば、被測流体の流量（流速）に比例した回転数で回転するロータ４２を有し、ロータ４２の回転を磁気センサ（流量パルス出力器）４４により検出している。尚、ロータ４２には、一対のマグネット４６が埋設されており、磁気センサ４４は、マグネット４６がロータ４２と共に回転する際に生じる磁界の変化を磁気的に検出して流量パルスを生成する。また、マグネット４６は、少なくともＡ相用とＢ相用の一対が所定間隔で設けられており、夫々が所定の位相差で信号を出力するように配置されている。
【００２１】
アンプ・波形整形回路５０では、磁気センサ４４から出力されたアナログ波形を矩形波に変換しており、一対のマグネット４６の通過に応じたタイミングでＡ相、Ｂ相の流量パルスを出力する。
【００２２】
計数部６０は、Ａ相、Ｂ相の流量パルスを計数する演算部（演算手段）６２と、ロータ４２の回転−流量との関係から磁気センサ４４から出力された流量パルスＰａ，Ｐｂを数分の一に分周した流量パルスＰａ'，Ｐｂ'に変換する流量パルス変換部６４と、所定流量以上である場合にＡ相、Ｂ相の流量パルスの出力パターンの変化から異常を判定する異常検出部（異常検出手段）６６とを有する。
【００２３】
異常検出部６６は、後述するようにＡ相、Ｂ相の流量パルスの出力パターンに異常があった場合は、流量パルスの間隔（周期）に応じた監視時間を設定し、この監視時間が経過する間に異常パルスが予め設定された所定数以上に達した場合に異常検出信号を出力する。
【００２４】
流量計受信部３０のＣＰＵ７０は、計数部６０から出力された流量パルスをカウントして流量（瞬時流量及び積算流量）を演算して表示手段８０に表示させると共に、異常検出手段６６から異常検出信号が出力された場合には、表示手段８０に異常検出を表示し、且つセンタ９０にも異常検出信号を出力する。尚、異常検出信号がセンタ９０に出力された場合は、センタ９０において、当該流量計２０を交換するように手配される。
【００２５】
また、本実施例では、計数部６０及びＣＰＵ７０の両方で流量演算処理を行なっているが、計数部６０では、磁気センサ４４から出力された流量パルスＰａ，Ｐｂを積算して瞬時流量及び積算流量を算出し、ＣＰＵ７０では計数部６０において流量パルスＰａ，Ｐｂを数分の一に分周した流量パルスＰａ'，Ｐｂ'を積算して瞬時流量及び積算流量を算出する。
【００２６】
ここで、図２乃至図７を参照してＡ相、Ｂ相の流量パルスの時系列的な出力パターンについて説明する。図２は流量計２０から流量計受信部３０へ出力される流量パルスの正常な出力パターンを示すタイミングチャートである。図２に示されるように、Ａ相の流量パルスＰａと、Ｂ相の流量パルスＰｂとが交互に周期的に出力された場合は、正常な流量計測が行なわれており、異常検出信号は出力されない。
【００２７】
図３は流量計２０から流量計受信部３０へ出力される流量パルスの異常な出力パターン１を示すタイミングチャートである。図３に示されるように、出力パターン１は、Ａ相の流量パルスＰａと、Ｂ相の流量パルスＰｂとの伝達経路に短絡が生じてＡ相、Ｂ相の流量パルスＰａ，Ｐｂが同時に出力された異常な状態を示している。従って、Ａ相、Ｂ相の流量パルスＰａ，Ｐｂが同時に出力されてから次に正常な流量パルスＰａが出力されるまで異常検出となる。この異常検出区間では、流量パルスの存在が不明確であるので流量計異常信号Ｐｃが出力されると共に流量パルスの積算処理を行なわず、流量計異常信号Ｐｃが出力される間は、表示手段８０に流量計異常を示すメッセージ等を表示する。そして、流量パルスＰａ，Ｐｂの出力パターンが正常になってから積算処理を再開する。
【００２８】
図４は流量計２０から流量計受信部３０へ出力される流量パルスの異常な出力パターン２を示すタイミングチャートである。図４に示されるように、出力パターン２は、Ａ相の流量パルスＰａが正常で、Ｂ相が断線により流量パルスＰｂが欠落する出力パターンである。従って、Ａ相の流量パルスＰａが連続して区間は、異常検出となる。この異常検出区間では、流量パルスの存在が不明確であるので流量計異常信号Ｐｃが出力されると共に流量パルスの積算処理を行なわず、流量計異常信号Ｐｃが出力される間は、表示手段８０に流量計異常を示すメッセージ等を表示する。そして、流量パルスＰａ，Ｐｂの出力パターンが正常になってから積算処理を再開する。
【００２９】
図５は流量計２０から流量計受信部３０へ出力される流量パルスの異常な出力パターン３を示すタイミングチャートである。図５に示されるように、出力パターン３は、Ｂ相の流量パルスＰｂが正常で、Ａ相が断線により流量パルスＰａが欠落する出力パターンである。従って、Ｂ相の流量パルスＰｂが連続して区間は、異常検出となる。この異常検出区間では、流量パルスの存在が不明確であるので流量計異常信号Ｐｃが出力されると共に流量パルスの積算処理を行なわず、流量計異常信号Ｐｃが出力される間は、表示手段８０に流量計異常を示すメッセージ等を表示する。そして、流量パルスＰａ，Ｐｂの出力パターンが正常になってから積算処理を再開する。
【００３０】
図６は流量計２０から流量計受信部３０へ出力される流量パルスの異常な出力パターン４を示すタイミングチャートである。図６に示されるように、出力パターン４は、Ｂ相の流量パルスＰｂが正常で、Ａ相が短い周期の流量パルスを断続的に出力した場合、それ以前のパルス周期Ｔ１に対する異常保持監視時間Ｔ２を設定し、この異常保持監視時間Ｔ２において、異常パルスＰｄ（Ａ相またはＢ相のパルスが２回以上連続した場合）が所定数以上（図６では、２個目の立ち上がり）検出された時に、異常検出を出力する。この異常検出区間では、流量パルスの存在が不明確であるので流量パルスの積算処理を行なわず、流量計異常信号Ｐｃが出力される間は、表示手段８０に流量計異常を示すメッセージ等を表示する。そして、異常保持監視時間Ｔ２が経過してＡ相の流量パルスＰａが正常に出力されてから異常表示をクリアして積算処理を再開する。
【００３１】
また、図６に示されるように、出力パターン４は、流量が所定未満の微小流量あるいは殆ど流量がゼロである状態において、Ｂ相の流量パルスＰｂが正常で、Ａ相が短い周期の流量パルスを断続的に出力した場合は、温度上昇に伴う配管内の圧力変動などによりロータ４２が正転と逆転とを交互に繰り返した可能性が高いので、異常検出を行なわない。
【００３２】
また、出力パターン４は、流量が所定以上である状態において、Ｂ相の流量パルスＰｂが正常で、Ａ相が短い周期の流量パルスを断続的に出力した場合、それ以前のパルス周期Ｔ１に対する異常保持監視時間Ｔ２を設定し、この異常保持監視時間Ｔ２において、例えば、Ａ相パルスまたはＢ相パルスが連続した場合、異常信号と認識し、流量計異常信号Ｐｃのオン・オフが所定数以上（図６では、２個目の立ち上がり）検出された時に、異常検出を出力する。なお、流量計異常信号Ｐｃのオン・オフの判定数（閾値）は、任意に設定することが可能であり、例えば、信号にノイズが多い場合には、所定数を５個〜８個に設定することにより、ノイズによる誤判定を回避することが可能になる。
【００３３】
計数部６０では、例えば、Ａ相の流量パルスＰａとＢ相の流量パルスＰｂとが交互に１つずつ正常に入力された場合を１サイクルとしており、直前の正常な流量パルスの入力時点から経過時間Ｔ１を計測する。この経過時間Ｔ１において、流量計２０の流量計測停止状態または微小流量計測状態のように著しく流量が低い場合は、配管内の圧力変動によりロータ４２が正転と逆転とを繰り返すことが経験的に分かっているため、異常保持監視時間Ｔ２において、流量パルスＰａが断続的に出力されるといった現象が現れる。
【００３４】
そして、異常検出手段６４は、経過時間Ｔ１が計量部４０の仕様に基づいた予め設定された一定流量以上に相当する時間以下である場合、異常保持監視時間Ｔ２においては後述するように本発明による異常検出処理及び異常検出保持を行なう。
【００３５】
また、異常検出手段６４は、経過時間Ｔ１に基づいて比例計算などの関数を実行して異常保持監視時間Ｔ２を算出する。尚、この異常保持監視時間Ｔ２は、演算により算出しても良いし、あるいはパルス周期Ｔ１と異常保持監視時間Ｔ２とのデータテーブル（図示せず）を予め作成し、パルス周期Ｔ１より異常保持監視時間Ｔ２を検索して抽出することも可能である。そして、異常保持監視時間Ｔ２が設定された状態で流量計異常信号Ｐｃのオン・オフが所定数以上（図６では、２個目の立ち上がり）検出された場合は、異常検出を出力する。
【００３６】
この異常検出区間では、流量パルスの存在が不明確であるので流量パルスの積算処理を行なわず、次に異常監視周期Ｔ２が経過してＡ相の流量パルスＰａが正常に出力されてから異常表示をクリアして積算処理を再開する。すなわち、該パルス周期Ｔ１に応じた異常保持監視時間Ｔ２が設定された場合は、異常保持監視時間Ｔ２が経過するまで、流量パルス
のカウント（計数及び積算）が禁止される。
【００３７】
このように、図６に示す出力パターン４は、異常か正常かを判定することが難しい場合、予め決められた方式で設定された異常保持監視時間Ｔ２において、流量計異常信号Ｐｃのオン・オフが所定数以上発生したことを条件に異常と判定することにより、従来はあいまいな領域での異常判定が可能になる。
【００３８】
従って、Ａ相またはＢ相の流量パルスＰａ，Ｐｂの出力パターンに異常があった場合にはその直前に正常に検出されたＡ相、Ｂ相の流量パルスＰａ，Ｐｂのパルス周期Ｔ１を求め、当該パルス周期Ｔ１に応じた異常保持監視時間Ｔ２を演算し、当該異常保持監視時間Ｔ２が経過するまで流量パルスの積算を禁止するため、例えば、流量パルスＰａ，Ｐｂにノイズが発生した場合でもノイズを流量パルスとしてカウントしてしまうことを防止でき、流量計測の信頼性をより一層高められる。
【００３９】
ここで、図７、図８のフローチャートを参照して計数部６０が実行する演算処理について説明する。尚、計数部６０は、図７、図８に示す処理を所定時間毎に繰り返し実行する。
【００４０】
図７に示されるように、Ｓ１１では、前回の正常な流量パルスの検出から経過時間Ｔ１を計算する。次のＳ１２では、経過時間Ｔ１を基に異常保持監視時間Ｔ２を求める。そして、Ｓ１３に進み、異常保持監視時間Ｔ２をタイマにセットして異常保持監視時間Ｔ２が経過するまで正常パルス及び異常パルスの有無を監視する。続いて、Ｓ１４では、次回の正常パルスが検出されるまでの時間Ｔ１の計測を開始する。
【００４１】
このように、経過時間Ｔ１を計測し、この経過時間Ｔ１に基づいて異常保持監視時間Ｔ２を演算することにより、経過時間Ｔ１が経過するまでに流量パルスが検出される否かをチェックしており、流量（流速）に応じた異常保持監視時間Ｔ２を自動的に設定することが可能になる。
【００４２】
図８に示されるように、Ｓ２１では流量パルスの入力変化の状態を判定する。この流量パルスの入力変化状態の判定処理を行なう際は、例えば、ロータ４２の回転数によって流量パルスの幅（時間軸長さ）及びパルス間隔が変化することが分かっているので、過去のデータを比較して流量パルスの幅（時間軸長さ）またはパルス間隔が所定流量以上か否かをチェックすることによって判定することが可能である。
【００４３】
次のＳ２２において、上記Ｓ２１の判定結果により流量パルスの幅（時間軸長さ）またはパルス間隔が所定流量以上の場合には、Ｓ２３に進み、自動クリア機能（異常検出の保持を解除する機能）がバイパスされていないか否かをチェックする。Ｓ２３において、自動クリア機能がバイパスされているときは、Ｓ２４に進み、異常発生回数カウンタをクリアし、異常状態表示をクリアする。また、Ｓ２３において、自動クリア機能がバイパスされているときは、Ｓ２４の処理を省略する。
【００４４】
また、上記Ｓ２２において、正常な流量パルスが異常パルスに変化した場合は、Ｓ２５に進み、異常発生回数のフィルタ処理を行なう。すなわち、異常発生回数カウンタに１を加算する。続いて、Ｓ２６に進み、異常発生回数カウンタのカウント値が予め設定された異常確定回数以上になったか否かをチェックする。
【００４５】
Ｓ２６において、異常発生回数カウンタのカウント値が予め設定された異常確定回数（ｎ回）以上になったときは、Ｓ２７に進み、異常検出処理（図６の異常パルスＰｄが３個目のとき流量計異常信号Ｐｃをオンにする）を行なう。この異常検出処理では、異常状態表示の保持、及び外部（センタ９０等）への通信等を行なって流量計異常発生を報知する。
【００４６】
次のＳ２８では、異常保持監視時間Ｔ２内か否かをチェックする。Ｓ２８において、異常保持監視時間Ｔ２内であるときは、Ｓ２９に進み、異常を保持すると共に、自動クリア機能のバイパスを設定する。これにより、異常保持監視時間Ｔ２が経過するまで、自動クリア機能のバイパス処理が継続されており、異常保持監視時間Ｔ２に達した時点でＳ２９の処理を省略する。また、上記Ｓ２６において、異常発生回数カウンタのカウント値が予め設定された異常確定回数に達しないときは、上記Ｓ２７〜Ｓ２９の処理を省略する。
【００４７】
このように、異常発生回数カウンタのカウント値が予め設定された異常確定回数以上になった異常検出処理を行なって流量計異常信号Ｐｃをオンにするため、被測流体の流量が微小流量あるいは殆どゼロの場合に異常パルスＰｄが検出されても、それを異常検出処理を行なわず、所定流量以上の場合に異常パルスＰｄが異常確定回数以上になると異常検出処理を行なうため、流量計測装置１０における異常判定のあいまいな領域での判定処理の信頼性をより高めることが可能になり、流量計２０が完全に故障していなくても、異常な状態が繰り返されれば、異常検出処理を行なってセンタ９０に報知することができる。
【００４８】
このように、被測流体の流量が所定流量以上である場合に異常発生回数カウンタのカウント値が予め設定された異常確定回数に達したときは、流量計２０で何らかの異常が発生しているものとしてセンタ９０に報知することができるため、センタ９０の管理者の判断によって当該流量計２０の点検、修理を行なうように指示することが可能になる。そのため、流量計２０での小さな異常が発生した段階で点検・修理を行なうことにより、流量計２０による計測誤差が拡大してゆくことを防止することが可能になる。
【００４９】
図９は異常検出処理の変形例を示すフローチャートである。図９に示されるように、Ｓ３１において、被測流体の流量が所定流量以下であると判定されると、Ｓ３２で異常パルスＰｄが検出されたか否かをチェックする。Ｓ３２において、異常パルスＰｄが検出されたときは、Ｓ３３に進み、今回の異常パルス検出時間を前回までの総異常パルス検出時間に加算する。尚、Ｓ３２において、異常パルスＰｄが検出されないときは、今回の処理を終了する。
【００５０】
次のＳ３４では、累積された総異常パルス検出時間が予め設定された基準時間Ｔ以上になったか否かをチェックする。Ｓ３４において、総異常パルス検出時間が予め設定された基準時間Ｔ未満のときは、これで今回の処理を終了する。
【００５１】
また、Ｓ３４において、総異常パルス検出時間が予め設定された基準時間Ｔ以上のときは、Ｓ３５に進み、センタ９０に異常報知を行なう。
【００５２】
このように、被測流体の流量が所定流量以下である場合でも総異常パルス検出時間が予め設定された基準時間Ｔ以上になったときは、流量計２０で何らかの異常が発生しているものとしてセンタ９０に報知することができるため、センタ９０の管理者の判断によって早めに当該流量計２０の点検、修理を行なうように手配することが可能になる。そのため、流量計２０での異常が頻繁に発生する前に予防的な点検・修理を行なうことにより、流量計２０による計測誤差の発生を未然に防止することが可能になる。
【００５３】
上記実施例では、流量計２０の計数部６０において異常検出処理を行なった場合を例に挙げて説明したが、これに限らず、流量計受信部３０で異常検出処理を行なうことも可能である。図１０は流量計受信部３０のＣＰＵ７０で異常検出処理を行なう場合のタイミングチャートである。
【００５４】
流量計受信部３０のＣＰＵ７０は、計数部６０から出力された流量パルスＰａ'またはＰｂ'のパルス間隔（周期）Ｔ３を監視しており（図７のＳ１１〜Ｓ１４の処理を参照）、例えば、パルス間隔（周期）Ｔ３が予め設定された基準時間ｔよりも大きい場合（Ｔ３＞ｔ）は、微小流量であると判定し、計数部６０から流量計異常信号Ｐｃ前述した図８のＳ２７の処理参照）が入力されても流量計異常表示信号Ｐｅの出力を保持しない。
【００５５】
パルス間隔（周期）Ｔ３が予め設定された基準時間ｔよりも小さい場合（Ｔ３＜ｔ）は、所定以上の流量であると判定し、流量計異常信号Ｐｃが入力されてから所定時間Ｔ４（Ｔ３に基づいて算出された値）が経過するまで流量計異常表示信号Ｐｅの出力を保持する。
【００５６】
このように、計数部６０において、流量計異常検出処理が行なわれた場合でも、流量計受信部３０のＣＰＵ７０でパルス間隔（周期）Ｔ３に応じて流量が所定以上か否かを判定し、所定流量以上の場合のみ表示手段８０に流量計異常表示を保持すると共に、センタ９０に報知するようにできる。これにより、流量計測装置１０による流量計測の信頼性をより一層高めることが可能になる。
【産業上の利用可能性】
【００５７】
上記実施例では、流量計２０のロータ４２の回転検出を磁気センサ４４を用いて行なう場合を例に挙げて説明したが、これに限らず、他の方式で流量パルスを生成する構成のものにも本発明を適用することができるのは、言うまでもない。
【００５８】
また、上記実施例では、流量計受信部３０が流量計２０と分離された構成を一例として示したが、これに限らず、流量計受信部３０が流量計２０と一体な構成のものにも本発明を適用できるのは、勿論である。
【００５９】
また、上記実施例の異常検出処理（図７〜図９の処理）は、流量計２０の計数部６０で行なう場合を例に挙げて説明したが、これに限らず、流量計受信部３０のＣＰＵ７０において、上記異常検出処理を行なうことも可能である。
【図面の簡単な説明】
【００６０】
【図１】本発明による流量計測装置の一実施例を示すシステム系統図である。
【図２】流量計２０から流量計受信部３０へ出力される流量パルスの正常な出力パターンを示すタイミングチャートである。
【図３】流量計２０から流量計受信部３０へ出力される流量パルスの異常出力パターン１を示すタイミングチャートである。
【図４】流量計２０から流量計受信部３０へ出力される流量パルスの異常出力パターン２を示すタイミングチャートである。
【図５】流量計２０から流量計受信部３０へ出力される流量パルスの異常出力パターン３を示すタイミングチャートである。
【図６】流量計２０から流量計受信部３０へ出力される流量パルスの異常出力パターン４を示すタイミングチャートである。
【図７】正常なパルス検出処理を示すフローチャートである。
【図８】パルス入力の変化検出処理を示すフローチャートである。
【図９】異常検出処理の変形例を示すフローチャートである。
【図１０】流量計受信部３０のＣＰＵ７０で異常検出処理を行なう場合のタイミングチャートである。
【符号の説明】
【００６１】
１０  流量計測装置
２０  流量計
３０  流量計受信部
２０  流量計
４０  計量部
４２  ロータ
４４  磁気センサ
４６  マグネット
５０  アンプ・波形整形回路
６０  計数部
７０  ＣＰＵ（中央演算処理部）
８０  表示手段（ディスプレイ）
９０  センタ
１００  通信インターフェース
６２  演算部
６４  流量パルス変換部
６６  異常検出部
【図１】
0005147473.tif 000002
【図２】
0005147473.tif 000003
【図３】
0005147473.tif 000004
【図４】
0005147473.tif 000005
【図５】
0005147473.tif 000006
【図６】
0005147473.tif 000007
【図７】
0005147473.tif 000008
【図８】
0005147473.tif 000009
【図９】
0005147473.tif 000010
【図１０】
0005147473.tif 000011